(57)【要約】【課題】  物体に貼り付けて適用できるシリコン整合シートを提供する。【解決手段】  シリコン整合シートは、シリコン層１０と、熱溶融グルー層２０と、を含む。熱溶融グルー層２０は主に、シリコン層の下方に位置していて、かつ、架橋剤を用いてシリコン層１０に接着する、高温熱溶融グルー層２１と、高温熱溶融グルー層２１の下方に接着する低温熱溶融グルー層２２と、を含む。そのうち、高温熱溶融グルー層２１は第１温度を用いて、熱溶融グルーを加熱して形成され、低温熱溶融グルー層２２は第２温度を用いて、熱溶融グルーを加熱して形成される。さらに、第２温度が第１温度より低い。【選択図】図２
0003217128.tif 000002
【実用新案登録請求の範囲】
【請求項１】
シリコン層と、熱溶融グルー層と、を含み、
前記熱溶融グルー層は主に、
前記シリコン層の下方に位置していて、かつ、架橋剤を用いて、前記シリコン層に接着する、高温熱溶融グルー層と、
前記高温熱溶融グルー層の下方に接着する低温熱溶融グルー層と、を含み、
前記高温熱溶融グルー層は、第１温度を用いて熱溶融グルーを加熱して形成され、前記低温熱溶融グルー層は、第２温度を用いて熱溶融グルーを加熱して形成され、第２温度が第１温度より低いことを特徴とする、物体に貼り付けて適用できるシリコン整合シート。
【請求項２】
前記高温熱溶融グルー層と、前記シリコン層との間に接着区域が形成され、前記接着区域の部材は、主に前記高温熱溶融グルー層と、前記シリコン層と、架橋剤とが混合されて形成することを特徴とする、請求項１記載の物体に貼り付けて適用できるシリコン整合シート。
【請求項３】
前記架橋剤は、ポリシロキサン（ｐｏｌｙｓｉｌｏｘａｎ）であることを特徴とする、請求項１記載の物体に貼り付けて適用できるシリコン整合シート。
【請求項４】
前記熱溶融グルー層は、熱可塑性ポリウレタン（ｔｈｅｒｍｏｐｌａｓｔｉｃ  ｐｏｌｙｕｒｅｔｈａｎｅ）であることを特徴とする、請求項１記載の物体に貼り付けて適用できるシリコン整合シート。
【請求項５】
前記第１温度はセ氏１２０℃〜２００℃であり、前記第２温度はセ氏６０℃〜１５０℃であり、前記第１温度が前記第２温度より１０℃〜６０℃高く設定されていることを特徴とする、請求項１記載の物体に貼り付けて適用できるシリコン整合シート。
【請求項６】
前記低温熱溶融グルー層の下方にある物体層をさらに含み、前記物体層が前記第２温度条件において、溶融または受け入れられない変形を引き起こさず、
前記シリコン層と、前記熱溶融グルー層と整合された部材を熱溶融方法により、前記物体層に貼り合わせて、前記シリコン層と前記熱溶融グルー層とが整合された部材を前記第２温度で加熱し、前記低温熱溶融グルー層を前記第２温度で溶融させて、前記物体層と結合させることを特徴とする、請求項１記載の物体に貼り付けて適用できるシリコン整合シート。
【請求項７】
前記シリコン層と、前記熱溶融グルー層とを整合された部材をあらかじめ所定のスタイルに裁断した上、前記スタイルごとに前記物体層に貼り合わせることを特徴とする、請求項６記載の物体に貼り付けて適用できるシリコン整合シート。
【請求項８】
前記スタイルは、文字、商標、広告コンテンツ、警告語より選択することを特徴とする、請求項７記載の物体に貼り付けて適用できるシリコン整合シート。
【請求項９】
前記シリコン層と、前記熱溶融グルー層とを整合された部材を前記物体層と整合させ、防水または滑り止めの目的に使用できることを特徴とする、請求項６記載の物体に貼り付けて適用できるシリコン整合シート。
【請求項１０】
前記物体層の構成部材は、生地であることを特徴とする、請求項６、７または９いずれか一項記載の物体に貼り付けて適用できるシリコン整合シート。
【請求項１１】
前記物体層の構成部材は、ゴム、金属、プラスチックより選択されることを特徴とする、請求項７記載の物体に貼り付けて適用できるシリコン整合シート。
【考案の詳細な説明】
【技術分野】
【０００１】
本考案は、シリコン構造に関し、特に物体に貼り付けられるシリコン整合シートに関する。
【背景技術】
【０００２】
可塑化部材使用の欠点から、ユーロ圏またはその他先進国において、衣類に可塑化部材製のロゴあるいは表示語を禁止する計画が検討されている。
【０００３】
シリコンは、高い安定性及び熱固化性を有しており、極めて高い温度でなければ、変形または焼損されないことから、シリコン部材で商標または表示語を形成することは、それに代わる一つの方法となる。
【考案の概要】
【考案が解決しようとする課題】
【０００４】
シリコン部材に商標または表示語を形成する方法は、様々な色の液体シリコンを使用し、微量射出技術を利用して、耐高温部材に所要な商標または図案を成型し、加熱ベーキングプロセスを経て裁断し、生地に縫製または縫合する方法によって、衣類の表面に固定させる。
【０００５】
この種の方法の最大の欠点は金型を利用して大量に製造することができないことである。さらに、生産速度が遅いため、生産量、コスト及び必要工数に影響を与える。
【０００６】
一方、シリコン部材を衣類へ直接貼り合わせるという手法も考えられるが、このときの最大の課題は、シリコン部材は高温でなければ固化されないが、高温は生地に悪影響を与えてしまうということである。生地が高温プロセスで損傷されるため、シリコン部材を衣類へ直接に商標または各種図案を形成することはできない。
【課題を解決するための手段】
【０００７】
本考案の目的は、前述公知技術の課題を解決することである。
本考案により、物体に貼り付けられるシリコン整合シートを提供する。シリコンの下方に熱溶融グルー層を取り付けて、係る熱溶融グルー層は、高温熱溶融グルー層と、低温熱溶融グルー層とを含めた２層式構造である。高温熱溶融グルー層を用いることによって、熱溶融グルー層がシリコンと結合することができ、低温熱溶融グルー層を用いることによって、熱溶融グルー層が生地などの物体と結合することができる。これにより、シリコンを生地へ直接に結合できないという技術課題が解決される。
本考案では、シリコンを部材として用い、金型に所望の各種図案を大量に形成した上、熱転写方式により生地に転写する。これにより、生産プロセス全体が高速に行われると共に、コストも低い。さらに、シリコン部材の安定性は極めて高い。セ氏２５０℃を超えないと変形しない。
さらに、熱可塑性物質でないため、環境への影響は従来の可塑化部材に比べて、遥かに小さい。この点は、各国政府がシリコン部材を可塑化部材に代わる部材として受け入れた主な理由である。
【図面の簡単な説明】
【０００８】
【図１】本考案の部材の組み合わせ態様図である。
【図２】本考案のシリコン層、熱溶融グルー層と、物体層との組み合わせを示す図である。
【図３】本考案のシリコン層及び熱溶融グルー層と、を物体層に整合する一つの応用例である。
【図４】本考案のシリコン層及び熱溶融グルー層を物体層に整合するもう一つの応用である。
【考案を実施するための形態】
【実施例】
【０００９】
本考案による構造の組成、発揮しうる効果、ならびに利点を、図を参照しながら、一つの好ましい実施例を以下に詳細に説明する。
【００１０】
図１ないし図４、本考案の物体に貼り付けられるシリコン整合シートを参照する。
これは主に、シリコン層１０と、熱溶融グルー層２０と、を含む。
熱溶融グルー層２０（図１に示す）は、主に、シリコン層１０の下方に位置していて、かつ、
架橋剤を用いて、シリコン層１０に接着する高温熱溶融グルー層２１と、高温熱溶融グルー層２１の下方に接着する低温熱溶融グルー層２２と、を含む。
【００１１】
そのうち、係る高温熱溶融グルー層２１は、第１温度を用いて熱溶融グルーを加熱して形成される。係る低温熱溶融グルー層２２は、第２温度を用いて熱溶融グルーを加熱して形成される。そのうち、第２温度が第１温度より低い。
【００１２】
そのうち、係る高温熱溶融グルー層２１と、係るシリコン層１０との間に接着区域４０が形成され、係る接着区域４０の部材は、主に高温熱溶融グルー層２１と、シリコン層１０と、架橋剤とを混合して形成する。
【００１３】
本考案において、架橋剤はポリシロキサン（ｐｏｌｙｓｉｌｏｘａｎ）、熱溶融グルー層２０の部材は、熱可塑性ポリウレタン（ｔｈｅｒｍｏｐｌａｓｔｉｃ  ｐｏｌｙｕｒｅｔｈａｎｅ）を用いることが好ましい。
【００１４】
そのうち、第１温度は、セ氏１２０℃〜２００℃、第２温度はセ氏６０℃〜１５０℃である。そのうち、第１温度が第２温度よりセ氏１０℃〜６０℃高く設定されている。
【００１５】
図２に示すように、本考案は、低温熱溶融グルー層２２の下方に位置する物体層を更に含む。係る物体層３は、第２温度の条件において、溶融または受け入れられない変形を引き起こさない。その結合方法は、前述シリコン層１０と、熱溶融グルー層２０と整合された部材を熱溶融方法により、物体層３に貼り合わせて、シリコン層１０と熱溶融グルー２０層とが整合された部材を第２温度で加熱し、低温熱溶融グルー層２２を第２温度で溶融させて、係る物体層３と結合させる。
【００１６】
引き続き、図３に示すように、シリコン層１０と、熱溶融グルー層２０とが整合された部材をあらかじめ所定のスタイル３０１に裁断した上、スタイル３０１ごとに物体層３に貼り合わせる。そのうち、係るスタイル３０１は例えば、商標、広告コンテンツ、警告語などである。
【００１７】
引き続き、図４に示すように、シリコン層１０と、熱溶融グルー層２０とが整合された部材を物体層３に整合して、防水または滑り止めの目的に使用しても良い。図４においては、係るシリコン層１０と、熱溶融グルー層２０とが整合された部材をあらかじめ所定形態のシート状構造４に裁断した上、物体層３に貼り合わせている。
【００１８】
係る物体層３の構成部材は、生地、ゴム、金属、プラスチック等が好ましい。係る生地は衣類の生地がさらに好都合である。
【００１９】
前記した詳細説明は、本考案の好ましい実施例について説明するものである。ただし、該実施例は本考案になんらの制限を加えるものではない。本考案の技術精神に基づく効果の応用又は変更は、すべて本考案の実用新案登録請求の範疇に含まれることを申し上げる。
【符号の説明】
【００２０】
３      物体層
１０    シリコン層
２０    熱溶融グルー層
２１    高温熱溶融グルー層
２２    低温熱溶融グルー層
３０１  スタイル
４      シート状構造
４０    接着区域
【図１】
0003217128.tif 000003
【図２】
0003217128.tif 000004
【図３】
0003217128.tif 000005
【図４】
0003217128.tif 000006